(57)【特許請求の範囲】
【請求項１】
密閉ハウジングの内部を仕切ることによって吸入室と吐出キャビティを限界するとともに上記密閉ハウジング内に配設された固定スクロール及び旋回スクロールを互いに噛み合わせることによって複数の圧縮室を限界し、上記旋回スクロールをその自転を阻止しながら公転旋回運動させることによって上記圧縮室内に上記吸入室からガスを取り込んで圧縮した後、上記吐出キャビティを経て吐出するスクロール型圧縮機において、上記吐出キャビティ内のガスの圧力が異常に上昇したときに開弁してこのガスを上記吸入室に放出するリリーフ弁を上記密閉ハウジング内に組み込み、上記圧縮室内で圧縮されたガスを上記密閉ハウジングの内部を仕切る上記固定スクロールの端板に穿設された吐出ポートから吐出弁を押し開いて上記吐出キャビティに吐出させるとともに上記リリーフ弁を上記固定スクロールの端板を貫通して螺装することによって上記吐出弁及びこれを押さえるリテーナを上記固定スクロールの端板に固定したことを特徴とするスクロール型圧縮機。
【発明の詳細な説明】
【０００１】
【発明の属する技術分野】
本発明は空気調和機等の冷凍装置の冷媒を圧縮するのに好適なスクロール型圧縮機に関する。
【０００２】
【従来の技術】
従来のスクロール型圧縮機の１例が図２に示されている。
１は密閉ハウジングで、カップ状本体２とこれに図示しないボルトによって締結されたフロントハウジング６とからなる。
このフロントハウジング６を貫通する回転軸７はベアリング８及び９を介してフロントハウジング６に回転自在に支持されている。
密閉ハウジング１の内部には固定スクロール10及び旋回スクロール14が配設されている。
【０００３】
この固定スクロール10は端板11とその内面に立設されたうず巻状ラップ12とを備え、この端板11は図示しないボルトによってカップ状本体２に締結されている。
端板11の外周面に埋設されたＯリング34をカップ状本体２の内周面に密接させることによって密閉ハウジング１の内部が仕切られ、端板11の外側には吐出キャビティ31が形成され、端板11の内側には吸入室28が限界されている。
【０００４】
また、端板11の中央には吐出ポート29が穿設され、この吐出ポート29は吐出弁30によって開閉される。
吐出弁30の揚程はリテーナ31によって規制され、吐出弁30及びリテーナ31の一端はボルト33によって端板11に締結されている。
【０００５】
旋回スクロール14は端板15とその内面に立設されたうず巻状ラップ16とを備え、このうず巻状ラップ16は固定スクロール10のうず巻状ラップ12と実質的に同一の形状を有している。
旋回スクロール14と固定スクロール10とは相互に所定距離だけ偏心し、かつ、180 °だけ角度をずらせて図示のように噛み合わされる。
【０００６】
かくして、うず巻状ラップ12の先端面に埋設されたチップシール17は端板15の内面に密接し、うず巻状ラップ16の先端面に埋設されたチップシール18は端板11の内面に密接し、うず巻状ラップ12と16の側面は複数個所で線接触してうず巻の中心に対してほぼ点対称をなす複数の圧縮室19a 、19b が形成される。
【０００７】
端板15の外面中央部に突設された円筒状ボス20の内部にはドライブブッシュ21が旋回軸受23を介して回動自在に嵌装され、このドライブブッシュ21に穿設されたスライド溝24内には回転軸７の内端に偏心して突設された偏心駆動ピン25がスライド可能に嵌合されている。
【０００８】
穿設スクロール14の公転旋回運動による動的アンバランスを平衡させるためにドライブブッシュ21にはバランスウェイト27が取り付けられ、回転軸７にはバランスウェイト37が固定されている。
また、旋回スクロール14の端板15の外面の外周縁とフロントハウジング６の内端面との間にはスラスト軸受36及びオルダムリンクからなる自転阻止機構26が介装されている。
【０００９】
しかして、回転軸７を回転させると、偏心駆動ピン25、スライド溝24、ドライブブッシュ21、旋回軸受23、ボス20等からなる旋回駆動機構を介して旋回スクロール14はオルダムリンク26によってその自転を阻止されながら円軌道上を公転旋回運動する。
【００１０】
すると、うず巻状ラップ12と16の側面の線接触部が次第にうず巻の中心方向に移動し、この結果、圧縮室19a 、19b はその容積を減少しながら、うず巻の中心方向へ移動する。
【００１１】
これに伴って、吸入口38、吸入通路39を通って吸入室28へ流入した冷媒ガスがうず巻状ラップ12と16との外終端開口部から圧縮室19a 、19b 内へ取り込まれて圧縮されながら中央の室22に至り、ここから吐出ポート29を通り吐出弁30を押し開いて吐出キャビティ31へ吐出され、図示しない吐出口を経て流出して凝縮器、絞り機構、蒸発器等からなる冷媒回路内を循環する。
【００１２】
【発明が解決しようとする課題】
上記従来のスクロール型圧縮機においては、カップ状本体２にリリーフ弁60が取り付けられ、このリリーフ弁60は吐出キャビティ31内の冷媒ガスの圧力が異常に上昇したとき、開弁してこのガスを密閉ハウジング１の外部に放出するため、一旦リリーフ弁50が開弁すると、冷媒回路内に冷媒を補充しなければ、以後、空気調和機等の冷凍装置の性能が低下するという問題があった。
【００１３】
【課題を解決するための手段】
本発明は上記課題を解決するために発明されたものであって、その要旨とするところは、密閉ハウジングの内部を仕切ることによって吸入室と吐出キャビティを限界するとともに上記密閉ハウジング内に配設された固定スクロール及び旋回スクロールを互いに噛み合わせることによって複数の圧縮室を限界し、上記旋回スクロールをその自転を阻止しながら公転旋回運動させることによって上記圧縮室内に上記吸入室からガスを取り込んで圧縮した後、上記吐出キャビティを経て吐出するスクロール型圧縮機において、上記吐出キャビティ内のガスの圧力が異常に上昇したときに開弁してこのガスを上記吸入室に放出するリリーフ弁を上記密閉ハウジング内に組み込んだことを特徴とするスクロール型圧縮機にある。
【００１４】
上記に加えて、上記圧縮室内で圧縮されたガスを上記密閉ハウジングの内部を仕切る上記固定スクロールの端板に穿設された吐出ポートから吐出弁を押し開いて上記吐出キャビティに吐出させるとともに上記リリーフ弁を上記固定スクロールの端板を貫通して螺装することによって上記吐出弁及びこれを押さえるリテーナを上記固定スクロールの端板に固定したことにある。
【００１５】
【発明の実施の形態】
本発明の実施形態が図１に示され、(A) はスクロール型圧縮機の縦断面図、(B) はリリーフ弁の部分的断面図である。
【００１６】
50はリリーフ弁で、固定スクロール10の端板11にこれを貫通するように螺装することによって吐出弁30及びリテーナ32を固定スクロール10の端板11に固定している。
【００１７】
このリリーフ弁50は、(B) に示すように、ボルト状の外形を有し、その軸部56の先端部外周には雄ねじ57が刻設されている。そして、その軸芯に沿ってこれを貫通するガス通路59が形成され、その頭部55側がガス入口51、軸部56の先端側がガス出口54とされている。
【００１８】
しかして、吐出キャビティ31内の冷媒ガスの圧力が異常に上昇すると、このガスはガス入口51からガス通路59内に入り、弁体52をばね53の弾発力に抗して右方に押推してガス出口54から吸入室28内に放出する。
なお、58はばね受、61はＯリングである。
他の構成は図２に示す従来のものと同様であり、対応する部材には同じ符号を付してその説明を省略する。
【００１９】
かくして、リリーフ弁50が開弁することによって吐出キャビティ31内の圧力が低下するので、固定スクロール10のうず巻状ラップ12、旋回スクロール14のうず巻状ラップ16等の破損を防止することができる。
【００２０】
そして、リリーフ弁50が開弁したとき、吐出キャビティ31内のガスは吸入室28に放出され、従来のように密閉ハウジング１の外部に放出されないので、冷媒回路内に冷媒を補充する必要はなくなる。
【００２１】
更に、リリーフ弁50によって吐出弁30及びリテーナ32を固定スクロール10の端板11に固定しているので、吐出弁30及びリテーナ32を締結するために従来用いられていたボルトが不要となり、そのコストを節減できる。
【００２２】
【発明の効果】
本発明においては、吐出キャビティ内のガスの圧力が以上に上昇したときリリーフ弁が開弁してこのガスを吸入室に放出するので、リリーフ弁が開弁してもガスが密閉ハウジングの外部に放出されることはなく、従って、ガスを補充する必要がなくなる。
【００２３】
スクロールの端板により密閉ハウジングの内部を仕切ることによってその片側に吐出キャビティを限界するとともに他側に吸入室を限界し、圧縮室内で圧縮されたガスを固定スクロールの端板に穿設された吐出ポートから吐出弁を押し開いて吐出キャビティに吐出させるとともにリリーフ弁を固定スクロールの端板を貫通して螺装することによって吐出弁及びこれを押さえるリテーナを固定スクロールの端板に固定すれば、吐出弁及びリテーナを固定するために従来用いられていたボルトが不要となるので、コストを節減することができる。
【図面の簡単な説明】
【図１】本発明の実施形態を示し、(A) はスクロール型圧縮機の縦断面図、(B) はリリーフ弁の部分的縦断面図である。
【図２】従来のスクロール型圧縮機の縦断面図である。
【符号の説明】
１  密閉ハウジング
10  固定スクロール
11  端板
12  うず巻状ラップ
14  旋回スクロール
15  端板
16  うず巻状ラップ
７  回転軸
20、21、23、24、25  旋回駆動機構
26  自転阻止機構
19a 、19b   圧縮室
22  中央室
29  吐出ポート
30  吐出弁
31  リテーナ
28  吸入室
31  吐出キャビティ
50  リリーフ弁
【図１】
0003764566.tif 000002
【図２】
0003764566.tif 000003